(57)【要約】      （修正有）【課題】自分の利用者端末を持参し忘れた利用者が、カラオケ利用後に各自で利用実績を登録するようにできる技術を提供する。【解決手段】利用者が入力した自己申告ＩＤを記憶し、利用者が選出した楽曲ＩＤと自己申告ＩＤとを含むリクエスト信号を出力し、出力された楽曲ＩＤと自己申告ＩＤを含むリクエスト信号を受信して予約リストに登録し、予約リストに従ってリクエスト曲を演奏するのに伴い予約リストに登録された端末ＩＤおよび自己申告ＩＤごとにカラオケ利用実績データを記録し、利用者端末と通信して端末ＩＤを取得するとともに利用者が利用者端末に入力した自己申告ＩＤを取得し、自己申告ＩＤに対応づけられたカラオケ利用実績データを端末ＩＤに対応づけされたカラオケ利用実績データに併合し、端末ＩＤごとのカラオケ利用実績データを出力する個人別カラオケ利用実績データ管理システムを提供する。【選択図】図５
2008003589.tif 000002
【特許請求の範囲】
【請求項１】
利用者端末から出力された楽曲ＩＤと利用者端末固有の端末ＩＤを含むリクエスト信号を受信して予約リストに登録する手段と、
利用者が入力した自己申告ＩＤを記憶し、利用者が選出した楽曲ＩＤと自己申告ＩＤとを含むリクエスト信号を出力する共用選曲手段と、
共用選曲手段から出力された楽曲ＩＤと自己申告ＩＤを含むリクエスト信号を受信して予約リストに登録する手段と、
予約リストに従ってリクエスト曲を演奏するのに伴って、予約リストに登録された端末ＩＤおよび自己申告ＩＤごとにカラオケ利用実績データを記録する手段と、
利用者端末と通信して端末ＩＤを取得するとともに利用者が利用者端末に入力した自己申告ＩＤを取得し、端末ＩＤと自己申告ＩＤとの整合性を認証する手段と、
端末ＩＤと自己申告ＩＤとが整合すると認証された場合、当該自己申告ＩＤのカラオケ利用実績データを当該端末ＩＤのカラオケ利用実績データに併合する手段と、
端末ＩＤごとのカラオケ利用実績データを出力する手段と、
を備えたことを特徴とする個人別カラオケ利用実績データ管理システム。
【請求項２】
請求項１において、共用選曲手段は、利用者別に希望曲を検索してその中から選曲してカラオケ装置に演奏予約できる多機能カラオケリモコン装置であることを特徴とする個人別カラオケ利用実績データ管理システム。
【請求項３】
請求項１において、利用者端末は携帯電話機であり、端末ＩＤおよび自己申告ＩＤは携帯電話番号であって、端末ＩＤと自己申告ＩＤとが一致することをもって整合性を認証することを特徴とする個人別カラオケ利用実績データ管理システム。
【請求項４】
請求項１において、共用選曲手段は、自己申告ＩＤとともにパスワードや氏名などの他の認証情報の入力を受け付けて、それらの認証情報を端末ＩＤと自己申告ＩＤとの整合性の認証に用いることを特徴とする個人別カラオケ利用実績データ管理システム。
【発明の詳細な説明】
【技術分野】
【０００１】
この発明は、個人別カラオケ利用実績データ管理システムに関し、とくに利用者が利用者端末を所持していない場合の利用実績をカラオケ利用後に認定する技術に関する。
【背景技術】
【０００２】
パーソナルリモコンと呼ばれる個人用のカラオケリモコン送信器が知られている。また、近年の携帯電話機の普及と高性能化にともない、各自が所持する携帯電話機をカラオケリモコンとして利用する技術も開発されている。
【０００３】
このような個人用のカラオケリモコン（利用者端末）を用いてもらうことによって利用した個人を特定できるので、カラオケ事業者は個人別のカラオケ利用状況を知ることができる。そこで、利用頻度に応じた特典サービスや嗜好分析による情報提供など、利用実績に基づいた個人別のきめ細かいサービスを充実させカラオケの商品性を高めやすい環境になる。
【０００４】
そのような観点から、例えば特開２０００−１８１４６４号公報には、演奏履歴を集計しておいて、携帯電話機に個人別の曲目リストを提示する技術について開示されている。また、特許第３４００９２１号公報には、カラオケ利用に応じたポイントサービスについて本出願人によって開示されている。
【特許文献１】特開２０００−１８１４６４号公報
【特許文献２】特許第３４００９２１号公報
【発明の開示】
【発明が解決しようとする課題】
【０００５】
上記のような利用者が持参した利用者端末を用いることによって実現されるサービスは、ひとたび利用者が自分用の利用者端末を持参し忘れるとサービスを受けられないという問題が生じやすい。せっかく利用すればするだけ得だと意気込んで来店した利用者が、うっかり自分の利用者端末を忘れてきてしまったことに気づいたら途端に意欲をそがれてしまう。
【０００６】
そこでこのような場合の救済措置があれば、利用による特典を期待する利用者にとっても、カラオケ利用を促進したいカラオケ事業者にとっても大変に便利である。たとえば、カラオケ店で利用者ＩＤを控えておいて、この利用者の次回来店時などに正式に利用履歴として追加する方式が考えられる。しかし、この利用情報を次回来店時までカラオケ店側で仮に保持・管理しておかなければならず、ミスやシステム運用上の無駄が生じやすい。
【０００７】
そこで本発明者は、自分の利用者端末を持参し忘れた利用者が、カラオケ利用後に各自で利用実績を登録するようにできると便利だと考えた。
【課題を解決するための手段】
【０００８】
前述した技術的背景の認識に基づいてこの発明が創作された。この発明に係る個人別カラオケ利用実績データ管理システムは、つぎの事項（１）〜（７）により特定されるものである。  
（１）利用者端末から出力された楽曲ＩＤと利用者端末固有の端末ＩＤを含むリクエスト信号を受信して予約リストに登録すること
（２）利用者が入力した自己申告ＩＤを記憶し、利用者が選出した楽曲ＩＤと自己申告ＩＤとを含むリクエスト信号を出力する共用選曲手段を備えること
（３）共用選曲手段から出力された楽曲ＩＤと自己申告ＩＤを含むリクエスト信号を受信して予約リストに登録すること
（４）予約リストに従ってリクエスト曲を演奏するのに伴って、予約リストに登録された端末ＩＤおよび自己申告ＩＤごとにカラオケ利用実績データを記録すること
（５）利用者端末と通信して端末ＩＤを取得するとともに利用者が利用者端末に入力した自己申告ＩＤを取得し、端末ＩＤと自己申告ＩＤとの整合性を認証すること
（６）端末ＩＤと自己申告ＩＤとが整合すると認証された場合、当該自己申告ＩＤのカラオケ利用実績データを当該端末ＩＤのカラオケ利用実績データに併合すること
（７）端末ＩＤごとのカラオケ利用実績データを出力すること
【０００９】
この発明において、望ましくは、共用選曲手段は、利用者別に希望曲を検索してその中から選曲してカラオケ装置に演奏予約できる多機能カラオケリモコン装置とする。  
また望ましくは、利用者端末は携帯電話機であり、端末ＩＤおよび自己申告ＩＤは携帯電話番号であって、端末ＩＤと自己申告ＩＤとが一致することをもって整合性を認証することとする。  
さらに望ましくは、共用選曲手段は、自己申告ＩＤとともにパスワードや氏名などの他の認証情報の入力を受け付けて、それらの認証情報を端末ＩＤと自己申告ＩＤとの整合性の認証に用いることとする。
【発明の効果】
【００１０】
この発明にかかる個人別カラオケ利用実績データ管理システムによれば、利用者は自分の利用者端末を所持し忘れた場合にも正確に利用実績として認められるので、利用実績に応じた特典サービスを受ける機会を喪失せずに済む。とくにこのような利用実績登録処理を自ら携帯電話機を用いて行うので、確実に行える安心感が得られる。またカラオケ事業者にとって、利用実績に応じた特典サービスが効率よく活用されるので、カラオケ利用促進という当該サービスの目的を充分に達成できる。
【実施例】
【００１１】
＝＝＝一実施例の概要＝＝＝
この発明に係る個人別カラオケ利用実績データ管理システムの一実施例について、図１にシステム構成例を示している。多数のカラオケ装置１が電話網やＩＳＤＮを介してカラオケホスト装置２と統合されている。カラオケホスト装置２は、カラオケで利用可能な楽曲のカラオケデータを配下のカラオケ装置１に配信したり、演奏履歴情報やカラオケ装置の運用情報をカラオケ装置１から集信したりする。カラオケ利用支援サーバー３はカラオケ事業者がインターネット４上で運用するコンピュータであって、カラオケで利用可能な楽曲について曲名やアーティスト名などの楽曲索引データを閲覧させたり選曲させたりするウェブコンテンツが稼働している。このサーバー３は、カラオケホスト装置２と専用線を介して接続されている。カラオケ装置１は、多機能カラオケリモコン装置６を備え、また携帯電話機５をカラオケリモコン送信器として利用可能である。
【００１２】
本実施例においては、携帯電話機５を所持した利用者が自分の携帯電話機５を利用者端末として用いて選曲予約を行い、携帯電話機５を所持し忘れた利用者は共用選曲手段として多機能カラオケリモコン装置６を用いて選曲予約を行う。携帯電話機５を用いた場合には、演奏予約情報に付帯される携帯電話機５の固有識別子（端末ＩＤ）によって利用者を識別し、端末ＩＤ別に選曲予約して演奏された楽曲の楽曲ＩＤを利用実績としてカラオケ装置１で管理しておく。
【００１３】
一方、多機能カラオケリモコン装置６を用いて選曲予約した場合には、利用者が入力した携帯電話番号などの自己申告ＩＤを選曲予約情報に付帯し、この自己申告ＩＤ別に選曲予約され演奏された楽曲の楽曲ＩＤを利用実績としてカラオケ利用支援サーバーの適宜な記憶部で管理しておく。その後、この利用者が自分の携帯電話機５を用いてカラオケ利用支援サーバーと交信した際に、この携帯電話機５の端末ＩＤと利用者が入力した自己申告ＩＤとを対照する。所定の認証手順により双方が同じ利用者を特定するものであることが認証できたら、この自己申告ＩＤについての利用実績を端末ＩＤ別の利用実績に併合するものである。
【００１４】
これにより、利用者は自分の携帯電話機５を所持し忘れた場合にも正確に利用実績として認められるので、利用実績に応じた特典サービスを受ける機会を喪失せずに済む。とくにこのような利用実績登録処理を自ら携帯電話機５を用いて行うので、確実に行える安心感が得られる。またカラオケ事業者にとって、利用実績に応じた特典サービスが効率よく活用されるので、カラオケ利用促進という当該サービスの目的を充分に達成できる。
【００１５】
以下、この個人別カラオケ利用実績データ管理システムを構成する各装置の構成とユーザインタフェースについて説明する。
【００１６】
＝＝＝カラオケ装置の基本構成＝＝＝
本実施例は周知の通信タイプのカラオケ装置に適用される。図２に本実施例に係るカラオケ装置のハードウェア主体の構成例を示している。
【００１７】
本実施例に係るカラオケ装置１は、周知のパソコン相当のコンピュータ応用機器である。中央処理装置１１がＣＰＵ・ＲＡＭ・ＲＯＭを含むコンピュータ本体であり、大容量の外部記憶としてのハードディスク装置１２とＣＤ−ＲＯＭやＤＶＤ−ＲＯＭなどの光ディスク再生装置１３と、加入者電話回線やＩＳＤＮ電話回線を介してカラオケホスト装置２と通信する通信制御装置１４と、利用者からの入力と利用者に向けての応答をやりとりする利用者インタフェース装置１５と、ＭＩＤＩ形式の音楽演奏データに基づいて伴奏音楽の音響信号を生成する音楽生成装置１６と、伴奏音楽やマイクロホンからの音響信号を増幅してスピーカから発音する音響装置１７と、ＣＲＴやＬＣＤあるいはＰＤＰなどを用いたディスプレイ１８と、このディスプレイ１８に表示すべき映像データを処理する映像処理装置１９とを備えている。
【００１８】
利用者インタフェース装置１５には、装置本体の操作パネル（キーボードとディスプレイ）の他にも、利用者が所持する携帯電話機５や多機能カラオケリモコン装置６などのカラオケリモコン送信器７が含まれ、短距離無線通信手段（ＩｒＤＡトランシーバ・赤外線ＬＥＤ・赤外線受光素子）を備えている。
【００１９】
中央処理装置１１は、利用者インタフェース装置１５を介して受信した演奏予約コマンドに基づいて、適宜な記憶部に演奏予約の待ち行列を作成し、カラオケ楽曲の演奏順番を管理している。中央処理装置１１は、演奏予約コマンドを受信すると、これに含まれている楽曲ＩＤがカラオケデータベースに登録されている演奏可能な楽曲のＩＤであることを確認したうえで、その楽曲ＩＤを待ち行列に登録する。そして、待ち行列から登録順に楽曲ＩＤを取り出して、カラオケデータベースから該当する楽曲用の音楽演奏データや歌詞字幕データを含むカラオケデータを取りだして演奏処理に供する。
【００２０】
＝＝＝利用者端末＝＝＝
本実施例においてカラオケリモコン送信器として用いることができる利用者の携帯電話機５（利用者端末）は、インターネットのブラウザ機能およびＪＡＶＡアプレット実行機能および短距離無線通信手段を搭載している。本発明に係る機能を利用するために必要なカラオケ利用支援プログラムは、カラオケ事業者がインターネット４上で運用するカラオケ利用支援サーバー３に用意されている。携帯電話機５は、あらかじめこのサーバー３にアクセスし、このプログラムをダウンロードして利用することが可能である。
【００２１】
カラオケ利用支援サーバー３は、例えば特開２０００−１８１４６４号公報や特開２００３−１５６７１号公報にも詳しく開示されているように、カラオケで利用可能な楽曲について曲名やアーティスト名などの楽曲索引データや、カラオケホスト装置２がカラオケ装置１から集信した演奏履歴データに基づく集計データを管理しており、利用者に適宜にこれらのデータを閲覧させたり選曲させたりするウェブコンテンツが稼働している。
【００２２】
利用者は、カラオケ利用支援プログラムにより提供される対話インタフェースに従って、歌いたい楽曲を探し出して演奏予約する操作を行うと、カラオケ装置１にこの楽曲ＩＤを含んだ演奏予約コマンドが通知される。
【００２３】
特に本実施例においては、演奏予約コマンドにはこの携帯電話機５の端末ＩＤも含まれてカラオケ装置１に通知される。端末ＩＤは、本実施例においては携帯電話番号であるが、端末の製造番号などの他の固有識別子を用いることも可能である。
【００２４】
＝＝＝共用選曲手段＝＝＝
本実施例に係る共用選曲手段としての多機能カラオケリモコン装置６は、図３に示した電子システム構成例のように、装置正面の大部分が液晶表示パネル（ＬＣＤ）２１ａに透明タッチセンサ２１ｂを重ねた液晶タッチパネル２１で占められ、内部には、ＣＰＵ・ＲＡＭ・ＲＯＭを含む中央処理装置２２と、液晶表示パネル２１ａのドライバ２３と、透明タッチセンサ２１ｂの入力検出回路２４と、フラッシュメモリ２５と、カラオケ装置１と交信するための短距離無線通信手段（ＩｒＤＡトランシーバ２６・赤外線ＬＥＤ２７・赤外線受光素子２８）と、電源電池と、充電ステーションのデータ通信装置を介してカラオケ装置１とデータ通信する通信制御部２９などが実装されている。
【００２５】
中央処理装置２２は、液晶タッチパネル２１を用いたユーザインタフェースによって、利用者の希望の楽曲を検索したり選曲させたりする。また、予約イベントが発行されると、短距離無線通信手段が近辺に存在するカラオケ装置１と交信し、楽曲ＩＤを含んだ演奏予約コマンドを発信したりする。
【００２６】
なお、これら機器間の短距離無線通信手段は、ＩｒＤＡインタフェースの他、ブルートゥース信号などでもよい。
【００２７】
＝＝＝携帯電話機５を忘れた場合＝＝＝
本実施例においては、携帯電話機５を忘れた利用者が多機能カラオケリモコン装置６を用いて選曲予約する場合に、自己申告ＩＤ別にアクセス可能なメモリ領域を作成したり更新したりして利用できるように構成されている。各領域にアクセスし、希望曲を選曲して演奏予約コマンドを発信する操作を行うと、演奏予約コマンドに自己申告ＩＤが付帯されてカラオケ装置１に通知される。
【００２８】
本実施例においては自己申告ＩＤとして携帯電話番号を用いるが、カラオケ店で振り出した顧客番号など、この利用者を特定できる他の識別情報も自己申告ＩＤとして利用可能である。
【００２９】
図４（Ａ）〜（Ｄ）には、この場合の画面遷移の概略を例示している。まず図４（Ａ）には、多機能カラオケリモコン装置６の初期状態でタッチパネル２１に表示されるトップ画面を例示している。このトップ画面において利用者が「携帯忘れ」ボタン３１を選択すると、（Ｂ）〜（Ｄ）に例示した所定のユーザインタフェースに従って、携帯電話番号を自己申告ＩＤとして入力してこの自己申告ＩＤに対応した利用者別の領域を作成したり、作成した領域を更新したりすることができるように構成されている。
【００３０】
（Ｂ）に例示した「携帯忘れ」メニューの初期画面において、はじめてこの領域を利用する利用者は、「新規ページを作成」ボタン３２を選択入力すると、（Ｃ）に例示した所定のユーザインタフェースに従って自己申告ＩＤと名前とを入力することによって、この新しい利用者の自己申告ＩＤに対応した領域を作成することができる。ここで入力した名前は（Ｂ）の一覧に表示される。
【００３１】
また、（Ｂ）において領域を作成済みのＡさん、Ｂさん、Ｃさんを選択する操作を行うと、それぞれの自己申告ＩＤに対応した領域にアクセスすることができる。そして、例えば（Ｄ）に示したように、各領域において用意された曲名や歌手名、楽曲のジャンルなど、各種の検索メニューを用いて選曲したり、直接選曲番号（楽曲ＩＤ）を入力したりすることができる。
【００３２】
ある利用者が自分の自己申告ＩＤに対応する領域内で希望曲を選曲してそれを演奏予約する所定の操作を行うと、その楽曲を演奏予約するための無線信号が自己申告ＩＤを含んでカラオケ装置１に向けて発信される。その後、無線信号を発信した旨の確認画面を表示してトップ画面（Ａ）に戻る。
【００３３】
なお、各自己申告ＩＤと特定領域との対応付けは、カラオケ利用開始時や不使用のまま所定時間以上経過した場合など、適宜な機会にクリアできるように構成されている。
【００３４】
＝＝＝利用実績集計処理＝＝＝
図５に本実施例に係る利用実績利管理の処理の概要を例示している。本実施例に係る利用実績管理処理は、端末ＩＤごとに、また自己申告ＩＤごとに利用実績を集計する処理と、端末ＩＤの利用実績と自己申告ＩＤの利用実績を端末ＩＤの利用実績に併合する処理からなる。
【００３５】
図５（Ａ）に例示したように、カラオケ装置１の中央処理装置１１は、演奏予約コマンドに含まれている楽曲ＩＤとともに受信した端末ＩＤまたは自己申告ＩＤとを対応づけして演奏予約の待ち行列に登録する。この図に示したように、各楽曲ＩＤには、端末ＩＤか自己申告ＩＤのいずれか一方が対応づけられて登録される。各楽曲ＩＤに対応づけされているのが端末ＩＤなのか自己申告ＩＤなのかがわかるようにフラグが付加される。
【００３６】
この待ち行列の中から登録順に取り出され演奏に供された楽曲については、演奏日時と楽曲ＩＤとを、端末ＩＤまたは自己申告ＩＤのいずれか一方と対応づけして演奏履歴データとして集約している。この演奏履歴データは、（Ｂ）に例示したように、（Ａ）の演奏予約の待ち行列に演奏日時の情報を付加したものである。演奏履歴データは、適宜な通信の機会にカラオケホスト装置２に集信され管理されている。
【００３７】
カラオケホスト装置２では、各カラオケ装置から集信した演奏履歴データに基づいて、（Ｃ）および（Ｄ）に例示したように、端末ＩＤごとおよび自己申告ＩＤごとにこの演奏履歴データを集計し、端末ＩＤごとおよび自己申告ＩＤごとの利用実績データとして記憶し管理している。
【００３８】
また、これらの集計済みの利用実績データは、カラオケ利用支援サーバー３に転送される。サーバー３は、カラオケホスト装置２との適宜な通信の機会に最新のデータに更新し管理している。
【００３９】
＝＝＝利用実績併合処理＝＝＝
自分の携帯電話機５を持参せずにカラオケを楽しんだ利用者は、カラオケ利用後に自分の携帯電話機５を用いてカラオケ利用支援サーバー３にインターネット４を介してアクセスする。図６（Ａ）（Ｂ）には、カラオケ利用支援サーバー３が提供するユーザインタフェースを例示している。携帯電話機５がサーバー３にアクセスした際には、サーバー３と携帯電話機５とのデータ通信においてサーバー３に端末ＩＤが通知される。また、利用者が（Ａ）に例示した所定のユーザインタフェースに従って自己申告ＩＤを入力すると、端末ＩＤと入力した自己申告ＩＤとが対応づけられ、整合性が認証される。
【００４０】
サーバー３は、この端末ＩＤに対応づけられた利用実績データと自己申告ＩＤに対応づけられた利用実績データが記憶されているか否かを確認する。双方が記憶されている場合には、自己申告ＩＤに対応づけられた利用実績データをこの端末ＩＤに対応づけして併合する。このようにして、自己申告ＩＤによる利用実績が正式に端末ＩＤによる利用実績として登録される。
【００４１】
そして、必要に応じて端末ＩＤごとの利用実績データを出力し、図６（Ｂ）に例示したように携帯電話機５の画面に表示させたり、カラオケ装置１のディスプレイ１８や多機能カラオケリモコン装置６のタッチパネル２１に表示させたりする。
【００４２】
なお、自己申告ＩＤに対応づけられた利用実績データのみが記憶されている場合には、所定期間の後にデータを削除する。逆に端末ＩＤに対応づけられた利用実績のみが記憶されている場合には、利用者の勘違いもしくはカラオケ装置１における集計が未完であることが想定される。したがって、適宜な期間の後に再度アクセスするよう、利用者にメッセージを通知すると便利である。  
さらに、所定期間内に利用者からのアクセスがなかった自己申告ＩＤについては、データを削除する。
【００４３】
なお、上記実施例においては、端末ＩＤ、自己申告ＩＤをともに携帯電話番号とする方式としたため、両者が一致することで整合性の認証が容易にできる。ただし、利用者が携帯電話機５でカラオケ利用支援サーバー３にアクセスするのを待たずに自己申告ＩＤと一致する端末ＩＤの利用実績データに直ちに併合することは行わない。利用者が自己申告ＩＤの入力時に誤って他人の番号を入力してしまう可能性を想定し、誤登録を防止するためである。
【００４４】
＝＝＝他の実施形態＝＝＝
本発明に係る利用者端末５として、いわゆるパーソナルリモコンを適用することも可能である。パーソナルリモコンの個人識別ＩＤを端末ＩＤとして利用することができる。  
また、上記実施例のカラオケ利用支援サーバー３の具現する機能は、カラオケホスト装置２と一体的に実現することも可能である。  
または、上記カラオケ利用支援サーバー３の具現する機能を含めてカラオケ装置１と一体的に実現することも可能である。  
あるいは本発明は、上記多機能カラオケリモコン装置６の具現する機能を含めてカラオケ装置１本体で一体的に実現することも可能である。
【００４５】
なお、特に利用者別にアクセス可能なメモリ領域を設けることなく本発明を適用することも可能である。演奏予約コマンドを発信する都度、利用者が自己申告ＩＤを入力し付加する構成であってもよい。
【００４６】
多機能カラオケリモコン装置６を利用する際には、自己申告ＩＤとともに、パスワードや氏名、利用店舗名や利用時間帯等も登録できるようにすることも可能である。こうすると、利用実績を登録する際に、利用者の誤入力を救済したり誤登録を防止したりすることができる。
【００４７】
先に詳しく説明した実施例は、ホスト装置と多数のカラオケ装置とが電話網やＩＳＤＮで統合される大規模な通信カラオケシステム対して本発明に係る個人別カラオケ利用実績データ管理システムを適用した場合の構成例である。
【００４８】
この発明は、このような実施例に限定されない。たとえばカラオケボックス店において、各ボックスのカラオケ装置と店舗サーバーとがＬＡＮで統合されたシステムに本発明に係る個人別カラオケ利用実績データ管理システムを適用し、その店舗内に限定されたポイントサービスなどに活用することができる。その場合の構成は、店舗サーバーが前記実施例におけるホスト装置とカラオケ利用支援サーバーを兼ねることとなる。
【００４９】
さらには、１台のカラオケ装置を設置しているカラオケパブのような小規模な店舗において、その１台のカラオケ装置だけを対象として、本発明に係る個人別カラオケ利用実績データ管理システムを適用し、そのカラオケパブに限定されたポイントサービスなどに活用することができる。その場合には、「利用者端末と通信して端末ＩＤを取得するとともに利用者が利用者端末に入力した自己申告ＩＤを取得し、端末ＩＤと自己申告ＩＤとの整合性を認証する手段」「自己申告ＩＤのカラオケ利用実績データを端末ＩＤのカラオケ利用実績データに併合する手段」「端末ＩＤごとのカラオケ利用実績データを出力する手段」をカラオケ装置本体のコンピュータ処理により具現化する構成を採用できる。
【図面の簡単な説明】
【００５０】
【図１】本発明の一実施例に係るシステム構成例を示した図である。
【図２】本発明の一実施例に係る通信カラオケ端末装置のハードウェア構成の概略を示した図である。
【図３】本発明の一実施例に係る多機能カラオケリモコン装置の電子システム構成の概略を示す図である。
【図４】本発明の一実施例に係る多機能カラオケリモコン装置における選曲の際に表示される画面遷移の概略を示す図である。
【図５】本発明の一実施例に係る利用実績管理の処理概要を示す図である。
【図６】本発明の一実施例に係る利用実績登録の際に携帯電話機に表示される画面の概略を示す図である。
【符号の説明】
【００５１】
１  カラオケ装置
５  携帯電話機（利用者端末）
６  多機能カラオケリモコン装置（共用選曲手段）
３１  「携帯忘れ」メニューを指示するボタン
【図１】
2008003589.tif 000003
【図２】
2008003589.tif 000004
【図３】
2008003589.tif 000005
【図４】
2008003589.tif 000006
【図５】
2008003589.tif 000007
【図６】
2008003589.tif 000008
【手続補正書】
【提出日】平成19年6月18日(2007.6.18)
【手続補正１】
【補正対象書類名】特許請求の範囲
【補正対象項目名】全文
【補正方法】変更
【補正の内容】
【特許請求の範囲】
【請求項１】
利用者端末から出力された楽曲ＩＤと利用者端末固有の端末ＩＤを含むリクエスト信号を受信して予約リストに登録する手段と、
利用者が入力した自己申告ＩＤを記憶し、利用者が選出した楽曲ＩＤと自己申告ＩＤとを含むリクエスト信号を出力する共用選曲手段と、
共用選曲手段から出力された楽曲ＩＤと自己申告ＩＤを含むリクエスト信号を受信して予約リストに登録する手段と、
予約リストに従ってリクエスト曲を演奏するのに伴って、予約リストに登録された端末ＩＤおよび自己申告ＩＤごとにカラオケ利用実績データを記録する手段と、
利用者端末と通信して端末ＩＤを取得するとともに利用者が利用者端末に入力した自己申告ＩＤを取得し、当該自己申告ＩＤに対応づけられたカラオケ利用実績データを当該端末ＩＤに対応付けされたカラオケ利用実績データに併合する手段と、
端末ＩＤごとのカラオケ利用実績データを出力する手段と、
を備えたことを特徴とする個人別カラオケ利用実績データ管理システム。
【請求項２】
請求項１において、共用選曲手段は、利用者別に希望曲を検索してその中から選曲してカラオケ装置に演奏予約できる多機能カラオケリモコン装置であることを特徴とするカラオケ利用実績データ管理システム。
【手続補正２】
【補正対象書類名】明細書
【補正対象項目名】０００８
【補正方法】変更
【補正の内容】
【０００８】
前述した技術的背景の認識に基づいてこの発明が創作された。この発明に係る個人別カラオケ利用実績データ管理システムは、つぎの事項（１）〜（６）により特定されるものである。  
（１）利用者端末から出力された楽曲ＩＤと利用者端末固有の端末ＩＤを含むリクエスト信号を受信して予約リストに登録すること
（２）利用者が入力した自己申告ＩＤを記憶し、利用者が選出した楽曲ＩＤと自己申告ＩＤとを含むリクエスト信号を出力する共用選曲手段を備えること
（３）共用選曲手段から出力された楽曲ＩＤと自己申告ＩＤを含むリクエスト信号を受信して予約リストに登録すること
（４）予約リストに従ってリクエスト曲を演奏するのに伴って、予約リストに登録された端末ＩＤおよび自己申告ＩＤごとにカラオケ利用実績データを記録すること
（５）利用者端末と通信して端末ＩＤを取得するとともに利用者が利用者端末に入力した自己申告ＩＤを取得し、当該自己申告ＩＤに対応づけられたカラオケ利用実績データを当該端末ＩＤに対応付けされたカラオケ利用実績データに併合すること
（６）端末ＩＤごとのカラオケ利用実績データを出力すること